(57)【要約】      （修正有）【課題】視覚効果を相乗的に高めるＰＯＰ端末を提供する。【解決手段】商品棚やカウンタなどの広告場所に設置して、販売商品に関する広告を提供する電子ＰＯＰ広告を再生表示する電子ＰＯＰ広告端末及びそれに接続して使用される補助表示装置で、情報処理部と、記憶部と、記憶部に記憶された第１コンテンツデータを表示する主画面３０と、記憶部に記憶された第２コンテンツデータを表示する少なくとも一つの補助画面２０と、を備える。【選択図】図１
2012185324.tif 000002
【特許請求の範囲】
【請求項１】
情報処理部と、
記憶部と、
前記記憶部に記憶された第１コンテンツデータを表示する主画面と、
前記記憶部に記憶された第２コンテンツデータを表示する少なくとも一つの補助画面と、を備えることを特徴とする電子ＰＯＰ広告端末。
【請求項２】
前記補助画面は、前記主画面の法線方向とは異なる方向に、前記補助画面の法線方向を変更可能であることを特徴とする請求項１に記載の電子ＰＯＰ広告端末。
【請求項３】
前記主画面は、電子ＰＯＰ広告端末本体に設けられ、
前記補助画面は、可動式接続部材によって前記電子ＰＯＰ広告端末本体に取り付けられた補助表示装置に設けられており、
前記補助表示装置は、前記電子ＰＯＰ広告端末との間で通信可能な通信部を有していることを特徴とする請求項２に記載の電子ＰＯＰ広告端末。
【請求項４】
前記記憶部は、前記電子ＰＯＰ広告端末本体に設けられ、前記第１コンテンツデータが記憶された第１記憶部と、前記補助表示装置に設けられ、前記第２コンテンツデータが記憶された第２記憶部とを有することを特徴とする請求項３に記載の電子ＰＯＰ広告端末。
【請求項５】
前記可動式接続部材によって、前記可動式接続部材の回転軸周りの方向に可動するとともに、前記回転軸に対して垂直な方向にもスライド移動することを特徴とする請求項３又は４に記載の電子ＰＯＰ広告端末。
【請求項６】
前記補助画面を複数個設け、
前記情報処理部は、前記複数の補助画面のそれぞれに対し、異なる第２コンテンツデータを表示させることを特徴とする請求項１乃至５の何れか１項に記載の電子ＰＯＰ広告端末。
【請求項７】
前記情報処理部は、前記複数の補助画面の配置に対応させて、各補助画面に異なる第２コンテンツデータを表示させることを特徴とする請求項６に記載の電子ＰＯＰ広告端末。
【請求項８】
前記情報処理部は、前記主画面に表示される第１コンテンツデータと連携させて、前記補助画面に第２コンテンツデータを表示させることを特徴とする請求項１乃至７の何れか１項に記載の電子ＰＯＰ広告端末。
【請求項９】
電子ＰＯＰ広告端末の補助表示装置であって、
前記電子ＰＯＰ広告端末との間で通信可能な通信部と、
前記電子ＰＯＰ広告端末の主画面に表示される第１コンテンツデータとは異なる第２コンテンツデータを表示する補助画面と、を備え、
前記電子ＰＯＰ広告端末に取り付けられることを特徴とする補助表示装置。
【請求項１０】
前記電子ＰＯＰ広告端末に、可動式接続部材によって、前記主画面の法線方向とは異なる方向に、前記補助画面の法線方向を変更可能に取り付けられることを特徴とする請求項９に記載の補助表示装置。
【請求項１１】
前記第２コンテンツデータの再生表示処理を実行する情報処理部を備え、
前記情報処理部は、前記第１コンテンツデータと前記第２コンテンツデータとの表示順序を示した情報に基づいて、前記第１コンテンツデータの表示と連携させて、前記第２コンテンツデータを前記補助画面に再生表示することを特徴とする請求項９又は１０に記載の補助表示装置。
【請求項１２】
前記電子ＰＯＰ広告端末の筺体の側部に接続され、
前記可動式接続部材によって、前記主画面の法線方向に対して前記補助画面の法線が少なくとも略９０度となる範囲まで可動することを特徴とする請求項１０又は１１に記載の補助表示装置。
【請求項１３】
前記可動式接続部材によって、前記可動式接続部材の回転軸周りの方向に可動するとともに、前記回転軸に対して垂直な方向にもスライド移動することを特徴とする請求項１０乃至１２の何れか１項に記載の補助表示装置。
【発明の詳細な説明】
【技術分野】
【０００１】
本発明は、広告提供技術に関し、特に、商品棚やカウンタなどの広告場所に設置して、販売商品に関する広告を提供する電子ＰＯＰ広告を再生表示する電子ＰＯＰ広告端末及びそれに接続して使用される補助表示装置に関する。
【背景技術】
【０００２】
近年、映像や音声などのコンテンツデータを再生表示する機能を有する端末を店舗の商品棚やカウンタなどの広告場所に設置して、販売商品に関する広告を提供する方法が広く利用されている。一般に、このような映像や音声などのコンテンツを用いた広告を電子ＰＯＰ広告（Ｐｏｉｎｔ  Ｏｆ  Ｐｕｒｃｈａｓｅ  ａｄｖｅｒｔｉｓｉｎｇ）という。そして、電子ＰＯＰ広告を提供する端末（以下「ＰＯＰ端末」という）が提案されている（例えば、特許文献１参照）。特許文献１に記載のＰＯＰ端末は、通信インターフェース部と、電子メールを受信する電子メール処理手段と、コンテンツデータを再生する広告再生手段とを有しており、メールサーバーから送信されたメールに添付されているコンテンツデータを自己の画面表示装置に再生することができる。
【先行技術文献】
【特許文献】
【０００３】
【特許文献１】特開２００７−１０９１９０号公報
【発明の概要】
【発明が解決しようとする課題】
【０００４】
特許文献１に記載されたＰＯＰ端末によれば、ＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｐｌａｙ  Ｐａｎｅｌ）などの画面表示装置にコンテンツデータを再生表示して、近傍の消費者、客、通行人等（以下「消費者等」という）に広告を提供することができる。しかしながら、ＬＣＤの画面は視野角が限られているので、画面の正面近くにいる消費者等からはその映像などを視認することができるが、側方にいる消費者等（画面の法線に対して大きい角度となる場所に位置する消費者等）からはその映像などを視認することができない。ＰＤＰの画面であれば、ＬＣＤよりも大きな視野角を確保することができるものの、やはり、画面の法線に対して垂直に近い動線上を移動する消費者等からはその映像を観ることができない。さらに、ＰＯＰ端末は、設置される広告場所により、省スペースとする必要があるため、通常は、小型の画面が用いられる。このため、消費者等からの十分な注目を集めることが難しい場合もあり、画面から遠く離れている消費者等や店舗内などを広く動き回る消費者等に対しては十分な視覚効果を発揮できないこともあった。
【０００５】
本発明は、前述した問題に鑑みてなされたものであって、従来よりも、側方や遠方の消費者等に対しても、視覚効果の高い広告を行うことが可能な電子ＰＯＰ広告端末を提供することを目的とする。
【課題を解決するための手段】
【０００６】
前述した課題を解決するため、本発明の電子ＰＯＰ広告端末は、情報処理部と、記憶部と、前記記憶部に記憶された第１コンテンツデータを表示する主画面と、前記記憶部に記憶された第２コンテンツデータを表示する少なくとも一つの補助画面と、を備えることを特徴とする。
【０００７】
さらに、上記電子ＰＯＰ広告端末において、前記補助画面は、前記主画面の法線方向とは異なる方向に、前記補助画面の法線方向を変更可能であることが好ましい。
【０００８】
さらに、上記電子ＰＯＰ広告端末において、前記主画面は、電子ＰＯＰ広告端末本体に設けられ、前記補助画面は、可動式接続部材によって前記電子ＰＯＰ広告端末本体に取り付けられた補助表示装置に設けられており、前記補助表示装置は、前記電子ＰＯＰ広告端末との間で通信可能な通信部を有していてもよい。
【０００９】
さらに、上記電子ＰＯＰ広告端末において、前記記憶部は、前記電子ＰＯＰ広告端末本体に設けられ、前記第１コンテンツデータが記憶された第１記憶部と、前記補助表示装置に設けられ、前記第２コンテンツデータが記憶された第２記憶部とを有していてもよい。
【００１０】
さらに、上記電子ＰＯＰ広告端末において、前記可動式接続部材によって、前記可動式接続部材の回転軸周りの方向に可動するとともに、前記回転軸に対して垂直な方向にもスライド移動してもよい。
【００１１】
さらに、上記電子ＰＯＰ広告端末において、前記補助画面を複数個設け、前記情報処理部は、前記複数の補助画面のそれぞれに対し、異なる第２コンテンツデータを表示させることが好ましく、さらに、前記情報処理部は、前記複数の補助画面の配置に対応させて、各補助画面に異なる第２コンテンツデータを表示させることが好ましい。
【００１２】
さらに、上記電子ＰＯＰ広告端末において、前記情報処理部は、前記主画面に表示される第１コンテンツデータと連携させて、前記補助画面に第２コンテンツデータを表示させることが好ましい。
【００１３】
また、本発明の電子ＰＯＰ広告端末の補助表示装置は、前記電子ＰＯＰ広告端末との間で通信可能な通信部と、前記電子ＰＯＰ広告端末の主画面に表示される第１コンテンツデータとは異なる第２コンテンツデータを表示する補助画面と、を備え、前記電子ＰＯＰ広告端末に取り付けられることを特徴とする。
【００１４】
さらに、上記補助表示装置おいて、前記電子ＰＯＰ広告端末に、可動式接続部材によって、前記主画面の法線方向とは異なる方向に、前記補助画面の法線方向を変更可能に取り付けられることが好ましい。
【００１５】
さらに、上記補助表示装置において、前記第２コンテンツデータの再生表示処理を実行する情報処理部を備え、前記情報処理部は、前記第１コンテンツデータと前記第２コンテンツデータとの表示順序を示した情報に基づいて、前記第１コンテンツデータの表示と連携させて、前記第２コンテンツデータを前記補助画面に再生表示することが好ましい。
【００１６】
さらに、上記補助表示装置において、前記電子ＰＯＰ広告端末の筺体の側部に接続され、前記可動式接続部材によって、前記主画面の法線方向に対して前記補助画面の法線が少なくとも略９０度となる範囲まで可動することが好ましい。
【００１７】
さらに、上記補助表示装置において、前記可動式接続部材によって、前記可動式接続部材の回転軸周りの方向に可動するとともに、前記回転軸に対して垂直な方向にもスライド移動することが好ましい。
【発明の効果】
【００１８】
本発明によれば、第１コンテンツデータの内容を表示する主画面と、主画面の法線方向とは異なる方向に、法線方向を変更可能な補助画面とを備え、補助画面に第２コンテンツデータを表示することができるため、電子ＰＯＰ広告端末によって、正面だけではなく、側方や遠方の消費者等に対しても広告することができ、消費者等に対して的確な情報伝達が可能であり、商品販促を効果的に高めることができる。
【００１９】
また、可動式接続部材によって電子ＰＯＰ広告端末本体に取り付けられ、電子ＰＯＰ広告端末との間で通信可能な通信部を有する補助表示装置として補助画面を設ければ、補助画面を有していない電子ＰＯＰ広告端末を、補助画面付きの電子ＰＯＰ広告端末として利用することが可能であり、従来の資源を使って実現できるので好ましい。
【００２０】
さらに、複数の補助画面のそれぞれに対し、異なる第２コンテンツデータを表示させたり、複数の補助画面の配置に対応させて、各補助画面に異なる第２コンテンツデータを表示させたり、主画面に表示される第１コンテンツデータと連携させて、補助画面に第２コンテンツデータを表示させたりすることにより、電子ＰＯＰ広告の視覚効果を相乗的に高める補助表示装置を提供することが可能となる。
【００２１】
また、本発明の補助表示装置は、既存のＰＯＰ端末に一体的に取り付けられ、補助画面の法線方向を変更可能であるので、ＰＯＰ端末の主画面に表示される第１コンテンツデータと連携して、正面だけではなく、側方や遠方の消費者等に対しても広告することができ、消費者等に対して的確な情報伝達が可能であり、商品販促を効果的に高めることができる。その他の効果については、発明を実施するための形態において述べる。
【図面の簡単な説明】
【００２２】
【図１】本発明のＰＯＰ端末の概略構成を示す説明図
【図２】ＰＯＰ端末及び補助表示装置のブロック図
【図３】対応データの一例を示す説明図
【図４】ＰＯＰ端末の再生表示処理の一例を示すフローチャート
【図５】補助表示装置の再生表示処理の一例を示すフローチャート
【図６】（Ａ）（Ｂ）（Ｃ）（Ｄ）は、補助表示装置及びＰＯＰ端末の背面図、上面図（回転時）、上面図（スライド移動時）、正面図
【発明を実施するための形態】
【００２３】
以下、本発明の実施形態について図面を参照して説明する。なお、本発明は、以下の例に限定されるものではない。
【００２４】
図１は、本発明のＰＯＰ端末３の概略構成を示す説明図である。本発明のＰＯＰ端末３は、主画面３０と少なくとも一つの補助画面２０（図１では２つ）を有している。図１において、ＰＯＰ端末３は、主画面の左右両側に可動式接続部材５によって表示方向を変更可能に補助画面２０が設けられている。本発明のＰＯＰ端末３において、補助画面２０は、可動式接続部材５によって表示方向を変更できることが好ましいが、補助画面２０の表示方向が主画面３０の表示方向と同一となる又は異なるように固定した状態で設けられてもよい。少なくとも一つの補助画面２０が主画面３０の表示方向とは異なる向きに設けられていれば広範囲の消費者等の注目を集めることができる。
【００２５】
補助画面２０は、補助表示装置２（例えば、補助表示装置２Ａ、補助表示装置２Ｂ）を、ＰＯＰ端末３本体に取り付けることによって設けてもよい。この場合、ＰＯＰ端末３それ自体は、従来の構成のものを利用することもできるので、従来のハード資源を有効活用することができる。ＰＯＰ端末３は、広告場所に設置され、主画面に電子ＰＯＰ広告を表示する。広告場所とは、例えば、小売業などの種々の店舗内であり、特に、顧客の購買意欲を効果的に高めるために、広告対象の販売商品の近傍（例えば、商品陳列棚）であることが好ましい。本明細書では、ＰＯＰ端末３の主画面の法線方向をＸ方向、Ｘ方向と直交する水平方向をＹ方向、Ｘ−Ｙ平面に対して直交する方向（垂直方向）をＺ方向とする。
【００２６】
図１では、２台の補助表示装置２Ａと補助表示装置２Ｂが、可動式接続部材５によってＰＯＰ端末３の筐体の左端部と右端部に取り付けられているが、本発明はこれに限定されない。補助表示装置２は、広告場所の余剰スペースなどに応じて、ＰＯＰ端末３の筐体の左端部又は右端部のどちらか一方に取り付けることができるし、取り外して他方に付け替えることもできる。さらに、ＰＯＰ端末３の筐体の上端部及び／又は下端部に取り付けることもできるし、取り外すこともできる。また、補助表示装置２は、可動式接続部材５を介して可動可能にＰＯＰ端末３に取り付けられるのではなく、固定した状態で取り付けられてもよい。さらに、取外し可能な補助表示装置２ではなく、ＰＯＰ端末３と一体の補助画面であってもよい。以下、基本的にはＰＯＰ端末３に補助表示装置２を取り付けた態様について説明するが、一体型についても、特別断らない限り、同様に適用される。また、補助表示装置２Ａ、２Ｂのいずれにも共通する説明をする場合、その説明において、補助表示装置２Ａ、２Ｂを総称して、単に補助表示装置２と記載することもある。
【００２７】
補助表示装置２は、取付け時の初期位置においては、その補助画面２０の法線がＰＯＰ端末３の主画面３０の法線方向と平行（Ｘ方向）であるが、可動式接続部材５によって、その法線方向を変更可能に構成される。具体的には、図１に示された補助表示装置２Ａ（左用）を例にすると、補助表示装置２Ａは、初期位置を基準として、その補助画面２０の法線方向が回転軸５１（Ｚ軸）周りに回転可能に構成される。つまり、その法線方向がＺ軸周りにマイナスＹ方向からプラスＹ方向までの範囲で変更されるように回転可能に構成される。回転軸５１は、主画面３０の法線方向から離れる方向に、少なくとも略９０度まで回転可能に構成されることが好ましい。さらに、補助表示装置２Ａは、Ｙ軸周りに回転可能に構成されてもよいし、Ｘ、Ｙ、Ｚ方向のいずれかにスライド移動可能に構成されてもよい。例えば、補助表示装置２Ａを主画面３０よりも前方に突出させ、補助画面が消費者等の注意を引くようにしてもよい。可動式接続部材５には、ヒンジやボールジョイントを採用することができる。さらに、変更後の補助画面２０の位置を固定する固定具を具備していてもよい。
【００２８】
ＰＯＰ端末３の主画面３０に第１コンテンツデータを表示する一方で、補助画面２０には、第２コンテンツデータを表示する。第２コンテンツデータは、第１コンテンツデータとは異なるものであり、第１コンテンツデータの広告内容を補足するものであることが好ましい。ＰＯＰ端末３の主画面３０は、表示装置であり、ＬＣＤ（Ｌｉｑｕｉｄ  Ｃｒｙｓｔａｌ  Ｄｉｓｐｌａｙ）を採用することが好ましいが、これに限定されない。ＰＤＰ（Ｐｌａｓｍａ  Ｄｉｓｐｌａｙ  Ｐａｎｅｌ）、有機ＥＬディスプレイ（Ｏｒｇａｎｉｃ  Ｅｌｅｃｔｒｏｌｕｍｉｎｅｓｃｅｎｃｅ  Ｄｉｓｐｌａｙ）などを使用してもよい。第１コンテンツデータは、電子ＰＯＰ広告の内容を示すデータであり、例えば、ＭＰＥＧ、ＭＰ４、ＡＶＩ、ＭＰ３、ＪＰＧ、ＴＸＴ形式などの動画像データ、音声データ、静止画像データ、テキストデータの集合である。
【００２９】
補助画面２０は、表示装置であり、マトリクス状のＬＥＤ（Ｌｉｇｈｔ  Ｅｍｉｔｔｉｎｇ  Ｄｉｏｄｅ）、ＬＣＤ、ＰＤＰ、有機ＥＬディスプレイ等の表示板である。特にＬＥＤ表示板は、軽量・薄型であり、余剰スペースの少ない設置場所にも容易に配置することができ、また、視野角が約１６０度以上と広いので、上下左右と様々な位置から視認することができるので好ましい。
【００３０】
第２コンテンツデータは、第１コンテンツデータと同様に電子ＰＯＰ広告の内容を示すデータであり、例えば、ＭＰＥＧ、ＭＰ４、ＡＶＩ、ＭＰ３、ＪＰＧ、ＴＸＴ形式などの動画像データ、音声データ、静止画像データ、テキストデータの集合である。テキストデータとしては、例えば、「新発売」「キャンペーン中」「セール中」「特売」などの文字が用いられるが、通常の文字だけでなく、絵文字、キャラクター文字などを含んでもよい。また、複数の補助画面２０が設けられる場合、それぞれの補助画面２０には、第２コンテンツデータとして、同一のデータを再生表示してもよいし、配置に応じて異なるデータを再生表示してもよい。また、補助画面２０には、静止状態のテキストデータを表示させてもよいが、できるだけ多くの注目を集めるために、テキストデータを流れるように表示（スクロール表示）させてもよいし、ブリンクさせて表示させてもよい。さらに、主画面における第１コンテンツデータ（例えば、動画像データ）の表示と連携して、補助画面に第２コンテンツデータを表示すると、相乗的に広告の視覚効果を高めることができ好ましい。なお、主画面における表示とは独立して補助画面に第２コンテンツデータを表示してもよい。
【００３１】
このように、本発明の補助表示装置は、ＰＯＰ端末３の左右両端部などに可動可能に一体的に接続され、ＰＯＰ端末３による広告内容（第１コンテンツデータ）と連携して、これを補足する情報（第２コンテンツデータ）を再生表示するので、ＰＯＰ端末３の正面付近に位置する消費者等だけでなく、側面近傍にいる消費者等からも注目を集めることができる。すなわち、この相乗作用によって、広告の視覚効果を高めることができるのである。
【００３２】
図２は、ＰＯＰ端末及び補助表示装置のブロック図である。ＰＯＰ端末３及び補助表示装置２は、広告場所に一体的に設置されてそれぞれ各種コンテンツデータを再生表示する装置であり、可搬式記憶媒体４（例えば、ＵＳＢ（Ｕｎｉｖｅｒｓａｌ  Ｓｅｒｉａｌ  Ｂｕｓ）メモリ、ＣＤ−ＲＯＭなど）を直接接続することにより、コンテンツデータなどを更新することが可能である。可搬式記憶媒体４（以下、「ＵＳＢメモリ４」と記載することもある）は、広告データファイルやＰＯＰ端末３や補助表示装置のプログラムを更新するための更新プログラムなども各記憶領域（フォルダ）に格納する。
【００３３】
広告データファイルとは、広告を表示するために必要とされるデータのファイルであり、前述した主画面用の第１コンテンツデータ及び左右補助画面用の第２コンテンツデータのほか、例えば、スケジュールデータなどを含む。スケジュールデータは、再生表示の対象とする第１コンテンツデータや第２コンテンツデータ、それらの表示順序や再生時間帯（再生表示開始時刻、終了時刻）、広告を提供する曜日（曜日指定、平日のみ、土日祝日のみなど）、広告を提供する期間などを示すデータである。スケジュールデータは、第１コンテンツデータと第２コンテンツデータとを連携させて表示するための対応データを含んでもよい。
【００３４】
図３は、対応データ６の一例を示す説明図である。対応データ６は、第１コンテンツデータと第２コンテンツデータとの対応関係と表示順序を示した情報であり、表示順序を示す再生番号６１、第１コンテンツデータの識別情報６２、左補助画面用の第２コンテンツデータの識別情報６３、右補助画面用の第２コンテンツデータの識別情報６４などを含む。また、対応データではなく、他の手段によって第１コンテンツデータと第２コンテンツデータとを連携、対応させてもよい。ただし、第１コンテンツデータと第２コンテンツデータとを独立して主画面及び補助画面に表示してもよく、この場合は、対応データは不要となる。
【００３５】
図２を参照すると、ＰＯＰ端末３は、主画面３０、通信部３１、記憶部３２、主メモリ３５、情報処理部３４、操作入力部３６、音声処理部３７、計時部３８及び電源部３９を備え、さらに、通信部を介して電気的に接続された補助表示装置２の補助画面２０を備えている。
【００３６】
主画面３０は、表示装置によって構成され、情報処理部３４からの指示に基づき、第１コンテンツデータを表示する機能を有する。主画面３０は、ＬＣＤ、ＰＤＰ、有機ＥＬディスプレイ等であることが好ましい。通信部３１は、所定の規格に準拠した汎用的なインターフェースであり、接続された装置との間でデータを送受信する。本実施形態では、通信部３１は、ＵＳＢ規格に準拠して構成されるのが好ましい。通信部３１は、複数が設けられてもよく、複数台の補助表示装置２が接続されてもよいし、ＵＳＢメモリ４が接続されてもよい。また、補助表示装置２やＵＳＢメモリ４のほか、他の周辺機器（例えば、パーソナルコンピュータ、ハードディスク装置など）が接続されてもよい。また、通信部３１は、ＵＳＢインターフェースに限定されず、シリアルインターフェースであってもよいし、Ｂｌｕｅｔｏｏｔｈ（登録商標）に準拠したインターフェースであってもよい。
【００３７】
ＰＯＰ端末３の記憶部３２は、広告データファイルや後述する情報処理部３４での処理に用いる各種情報を記憶する機能を有し、少なくとも、各記憶領域に第１コンテンツデータ３２１、スケジュールデータ３２３、及びプログラム３２４を格納する。さらに、各記憶領域に左補助画面用の第２コンテンツデータ３２２Ａ、右補助画面用の第２コンテンツデータ３２２Ｂを格納してもよい。
【００３８】
第１コンテンツデータ３２１、第２コンテンツデータ３２２Ａ（３２２Ｂ）、スケジュールデータ３２３は、各々、ＵＳＢメモリ４の記憶領域に記憶された広告データファイルに含まれる第１コンテンツデータ、第２コンテンツデータ、スケジュールデータをコピーしたものである。スケジュールデータ３２３には、対応データ６の全部又は一部が含まれる。プログラム３２４は、情報処理部３４での各種処理を実行するためのプログラムであり、ＵＳＢメモリ４の記憶領域に記憶されたＰＯＰ端末３の更新プログラムをコピーしたものである。また、補助表示装置２の更新プログラムをコピーしたものを含んでもよい。
【００３９】
記憶部３２には、メモリカード（例えば、ＳＤカード、メモリスティック、ｘＤピクチャーカード）やＳＰＩ（Ｓｅｒｉａｌ  Ｐｅｒｉｐｈｅｒａｌ  Ｉｎｔｅｒｆａｃｅ」）フラッシュメモリなどを採用することができる。また、他の半導体メモリやハードディスクなどの記憶装置によって構成されてもよい。
【００４０】
主メモリ３５は、後述する情報処理部３４のプロセッサが直接アクセスすることができる揮発性の半導体メモリである。主メモリには、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）を採用することができる。
【００４１】
情報処理部３４は、各種処理を実行する処理部であり、プロセッサ及びその周辺回路によって構成される。具体的には、情報処理部３４は、図示しないプロセッサによって、記憶部３２に格納されたプログラム３２４を主メモリ３５にロードし、ロードされたプログラムを読み出して実行し、ハードウェアとプログラムとを協働させて以下に述べる各処理の一つ又は全部の機能を実現する。
【００４２】
情報処理部３４は、通信部３１に接続された周辺機器や可搬式記憶媒体４からの割込み要求を契機として、接続された周辺機器や可搬式記憶媒体４から広告データファイルや更新プログラムを記憶部３２にコピーする処理を実行する。また、記憶部３２に格納されたスケジュールデータ３２３を読み込んで第１コンテンツデータ３２１の表示順序や方法を制御し、第１コンテンツデータ３２１を主画面３０や音声処理部３７に再生表示する。
【００４３】
操作入力部３６は、オペレータの操作を検出して情報処理部３４へ出力する機能を有する。操作入力部３６は、例えば、各種設定のためのキーなどによって構成される。
【００４４】
計時部３８は、プロセッサやその周辺回路の持つタイマ機能を用いて日時を計時する。電源部３９は、情報処理部３４からの指示に基づき、当該ＰＯＰ端末３の各部に電力を供給する。電源部３９は、通信部３１を介して接続される補助表示装置２に対しても電力を供給可能であることが好ましい。電源部３９は、専用の電源回路によって構成される。電源部３９は、外部から電力の供給を受ける構成であってもよいし、内蔵バッテリーによって構成されてもよい。
【００４５】
補助表示装置２は、ＰＯＰ端末３に接続されて使用される装置であって、補助画面２０及び通信部２１を備えており、さらに記憶部２２、情報処理部２４、主メモリ２５、操作入力部２６及び電源部２９を備えていてもよい。なお、記憶部２２、情報処理部２４、主メモリ２５、操作入力部２６及び電源部２９は、ＰＯＰ端末３の記憶部３２、情報処理部３４、主メモリ３５、操作入力部３６及び電源部３９の一部を利用してもよいし、兼用してもよい。
【００４６】
補助画面２０は、表示装置によって構成され、情報処理部２４からの指示に基づき、第２コンテンツデータ（好ましくはテキストデータ）を表示する機能を有する。補助画面２０は、ＬＥＤ表示板、ＬＣＤ、ＰＤＰ、有機ＥＬディスプレイ等であることが好ましい。
【００４７】
通信部２１は、所定の規格に準拠した汎用的なインターフェースであり、接続された装置との間でデータを送受信する。本実施形態では、通信部２１は、ＰＯＰ端末３と接続するため少なくとも一つ有しており、ＰＯＰ端末３の通信部３１と同様に、ＵＳＢ規格に準拠して構成されるのが好ましい。通信部２１には、ＰＯＰ端末３が接続されるが、ＵＳＢメモリ４や他の周辺機器が接続されてもよい。通信部２１とＰＯＰ端末の通信部３１とはＵＳＢケーブルを介して相互に通信可能に接続されることが好ましい。また、通信部２１は、これに限定されず、例えば、シリアルインターフェース、Ｂｌｕｅｔｏｏｔｈ（登録商標）で構成されてもよい。なお、一体型の場合は、通信部２１の代わりにＰＯＰ端末３の情報処理部３４から補助画面に第２コンテンツデータを伝達する配線が設けられる。
【００４８】
記憶部２２は、広告データファイルの一部と後述する情報処理部２４での処理に用いる各種情報を記憶する機能を有し、その各記憶領域に第２コンテンツデータ２２２、対応データ２２３、及びプログラム２２４を格納する。第２コンテンツデータ２２２は、ＵＳＢメモリ４の記憶領域に記憶された広告データファイルに含まれる第２コンテンツデータをコピーしたものである。対応データ２２３は、スケジュールデータに含まれる対応データ６の全部又は一部である。また、２台の補助表示装置２がＰＯＰ端末３の左右端部に備えられる場合、その配置に応じて、各記憶部２２は、第２コンテンツデータ２２２として、左補助画面用の第２コンテンツデータ２２２Ａ又は右補助画面用の第２コンテンツデータ２２２Ｂのいずれかを格納してもよい。第２コンテンツデータ２２２Ａ又は２２２Ｂは、ＵＳＢメモリ４の記憶領域に記憶された広告データファイルに含まれる左補助画面用又は右補助画面用の第２コンテンツデータをコピーしたものであるか、又はＰＯＰ端末３の記憶部３２に格納された第２コンテンツデータ３２２Ａ又は３２２Ｂをコピーしたものである。
【００４９】
なお、本実施形態では、補助表示装置２は、装着されたＵＳＢメモリ４から所望のデータをコピーし、それらを記憶部２２の各フォルダに格納するが、これに限定されない。例えば、ＵＳＢメモリ４に格納された各データが一旦ＰＯＰ端末３の記憶部３２の各フォルダに格納された後、必要に応じて所望のデータだけが補助表示装置２の記憶部２２にコピーされる構成としてもよい。また、記憶部２２自体が、ＰＯＰ端末３の記憶部３２の一部を利用してもよい。
【００５０】
プログラム２２４は、情報処理部２４での各種処理を実行するための各種のプログラムである。記憶部２２には、不揮発性の各種半導体メモリを採用することができる。記憶部２２には、大容量の不揮発性の半導体メモリとして、ＳＰＩフラッシュメモリを採用するのが好ましいが、これに限定されず、他の半導体メモリやハードディスクなどの記憶装置によって構成されてもよい。
【００５１】
主メモリ２５は、後述する情報処理部２４のプロセッサが直接アクセスすることができる揮発性の半導体メモリである。主メモリには、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）／ＦＬＵＳＨを採用するのが好ましい。
【００５２】
情報処理部２４は、各種処理を実行する処理部であり、プロセッサ及びその周辺回路によって構成される。具体的には、情報処理部２４は、図示しないプロセッサによって、記憶部２２に格納されたプログラム２２４を読み出して実行し、ハードウェアとプログラムとを協働させ、以下に述べる各処理の一つ又は全部の機能を実現する。
【００５３】
情報処理部２４は、通信部２１に接続された周辺機器や可搬式記憶媒体４からの割込み要求を契機として、接続されたＰＯＰ端末３や可搬式記憶媒体４から広告データファイルや更新プログラムを記憶部２２にコピーする処理を実行する。また、記憶部２２に格納された対応データ６やＰＯＰ端末３から通知されたコンテンツデータの再生番号などに基づいて、第２コンテンツデータ２２２の表示順序や方法を制御し、第１コンテンツデータの再生表示と連携して、第２コンテンツデータ２２２を補助画面２０に再生表示する。
【００５４】
また、複数台の補助表示装置２が設けられた場合、ＰＯＰ端末３の情報処理部３４又はいずれか一方の情報処理部２４が、第２コンテンツデータ２２２Ａや第２コンテンツデータ２２２Ｂをそれぞれの補助画面２０に再生表示するように制御してもよい。
【００５５】
操作入力部２６は、オペレータの操作を検出して情報処理部２４へ出力する機能を有する。操作入力部２６は、例えば、各種設定のためのキーなどによって構成される。各種設定とは、例えば、テキストの大きさ、色の指定、背景色の指定、ハイライト表示、スクロール表示（縦又は横方向へのスクロールイン、スクロールアウトの動作）、ブリンク表示、明るさの設定などが含まれる。
【００５６】
計時部２８は、プロセッサやその周辺回路の持つタイマ機能を用いて日時を計時する機能を有する。また、計時部２８は、ＰＯＰ端末３の計時部３８と時刻を整合することができる構成であってもよい。電源部２９は、通信部２１を介してＰＯＰ端末３が接続されると、例えば、ＵＳＢバスの電源ラインを経由してＰＯＰ端末３の電源部３９から電力の供給を受け、補助表示装置２の各部に給電する。
【００５７】
なお、図２では、オペレータの手作業を介在させて、ＵＳＢメモリ４を挿着することによって、広告データファイルなどを更新したが、他の態様として、ＰＯＰ端末３又は補助表示装置２がデータ通信機能を備え、有線又は無線のオンラインネットワークにより適宜広告データファイルなどを更新する構成としてもよい。
【００５８】
図４は、ＰＯＰ端末における再生表示処理を示すフローチャートの一例である。まず、情報処理部３４は、記憶部３２の所定のフォルダにスケジュールデータ３２３があるか否か判定する（ステップ４０１）。ステップ４０１において、スケジュールデータ３２３がないと判定された場合（Ｎｏ）、情報処理部３４は、エラー表示を主画面３０に表示する（ステップ４０２）。一方、ステップ４０１において、スケジュールデータ３２３があると判定された場合（Ｙｅｓ）、情報処理部３４は、スケジュールデータ３２３を参照して、広告の再生開始時刻であるか否か判定する（ステップ４０３）。この場合、情報処理部３４は、例えば、計時部３８によって示される現在時刻とスケジュールデータ３２３に示された再生開始時刻とを比較してもよい。
【００５９】
ステップ４０３において、再生開始時刻ではないと判定された場合（Ｎｏ）、情報処理部３４は所定の時間待機した後、再度ステップ４０３の処理を実行する。一方、ステップ４０３において、再生開始時刻であると判定された場合（Ｙｅｓ）、情報処理部３４は、スケジュールデータ３２３に記載された表示順序などに従って、順次、第１コンテンツデータ３２１を主画面３０及び音声処理部３７において順次再生する（ステップ４０４〜４０７）。具体的には、情報処理部３４は、対応データ６を参照し、対応データ６に記載された再生番号を取得し（ステップ４０４）、取得した再生番号を補助表示装置２Ａ、２Ｂの情報処理部２４に通知し（ステップ４０５）、当該再生番号が付与された第１コンテンツデータ３２１を再生表示する（ステップ４０６）。すべての再生番号（１〜Ｎ）について、上記の再生表示の繰返し処理が終了する（ステップ４０７）と、情報処理部３４は、第１コンテンツデータの再生表示処理を終了する。
【００６０】
なお、ステップ４０１において、スケジュールデータ３２３が存在しないと判定された場合、情報処理部３４は、プログラム３２４による所定の設定に基づいて、第１コンテンツデータ３２１の一部又は全部をリピート再生してもよい。すなわち、ＰＯＰ端末３は、詳細な再生方法が設定されたスケジュールデータ３２３に基づいて第１コンテンツデータ３２１を再生表示することもできるし、あらかじめ定められた簡易な設定に基づいて第１コンテンツデータ３２１の一部又は全部を繰返し再生表示することもできる。また、他の再生表示処理として、ＰＯＰ端末３が備える人感センサー（図示省略）によって、人がＰＯＰ端末３に接近した場合に、あらかじめ定められたリピート再生を実行するように構成してもよい。
【００６１】
図５は、補助表示装置における再生表示処理を示すフローチャートの一例である。補助表示装置２の情報処理部２４は、まず、ＰＯＰ端末３から再生番号の通知があるか否か判定する（ステップ５０１）。ステップ５０１において、再生番号の通知がないと判定された場合（Ｎｏ）、情報処理部２４は、所定の時間待機した後、再度ステップ５０１の処理を実行する。一方、ステップ５０１において、再生番号の通知があると判定された場合（Ｙｅｓ）、すなわち、図４のステップ４０５において通知された再生番号を取得したと判定された場合、情報処理部３４は、対応データ２２３を参照して、通知された再生番号に対応する第２コンテンツデータ２２２（テキストデータ）を補助画面２０に再生表示する（ステップ５０２）。次いで、情報処理部２４は、再生番号が最後であるか否か判定する（ステップ５０３）。ステップ５０３において、再生番号が最後でないと判定された場合（Ｎｏ）、情報処理部２４は、所定の時間待機した後、再度ステップ５０１の処理を実行する。一方、ステップ５０３において、再生番号が最後であると判定された場合（Ｙｅｓ）、情報処理部２４は、第２コンテンツデータの再生表示処理を終了する。
【００６２】
複数台の補助表示装置２（２Ａ、２Ｂ）が設けられた場合、いずれか一方の情報処理部２４が、主画面用の第１コンテンツデータに連携させるとともに、左補助画面用の第２コンテンツデータと右補助画面用の第２コンテンツデータとを同期させてそれぞれの補助画面２０に再生表示することが好ましい。左右補助画面用の各第２コンテンツデータを同期させて表示するとは、例えば、スクロール表示において、先頭の文字の表示タイミングを合わせることや、ブリンク表示において、点滅のタイミングを合わせること、あるいは互い違いにすることなどを含む。もちろん、各情報処理部２４は、それぞれ独立して、各第２コンテンツデータとの表示タイミングを考慮しないで、別々に表示してもよい。
【００６３】
また、主画面に対する補助画面の配置、例えば、主画面の右側、左側、上側又は下側に配置したか、を認識可能にしておき、配置に応じた第２コンテンツデータ（例えば、左補助画面用の第２コンテンツデータ）を対応する補助画像（左側に配置された補助画面）に表示させるように構成されていてもよい。補助画面の配置を認識可能とする手段は、一体型であれば、予め特定することができるが、補助表示装置２を取り付ける場合は、接続される通信部２１、３１の位置や、可動式接続部材５の取り付け位置等によって特定することもできるし、補助表示装置２の操作入力部２６を用いて配置を入力することもできる。また、補助表示装置２が、重力加速度センサを備え、自己の姿勢を感知し、姿勢に応じて、補助画面２０における表示方向を任意に切り換えられるように構成してもよい。これによって、補助表示装置２は、ＰＯＰ端末３のいずれの側部に接続された場合でも、補助画面２０に正しく第２コンテンツデータを表示することができる。
【００６４】
さらに、ＰＯＰ端末３の情報処理部３４が、各補助画面の再生表示を行ってもよい。この場合、情報処理部３４は、図４のステップ４０４において、再生番号を取得した後、ステップ４０５において、取得した再生番号を補助表示装置２Ａ、２Ｂの情報処理部２４に通知する代わりに、図５における補助画面の表示（ステップ５０２）をステップ４０６の当該再生番号が付与された第１コンテンツデータ３２１を再生表示する処理と同時又は順次処理すればよい。
【００６５】
なお、補助表示装置２の情報処理部２４は、ステップ５０１において、所定の時間が経過しても、ＰＯＰ端末３から再生番号の通知がないと判断した場合、プログラム２２４による所定の設定に基づいて、第２コンテンツデータ２２２の一部又は全部をリピート再生したり、ランダム再生したりしてもよい。すなわち、補助表示装置２は、表示順序が示された対応データ２２３に基づいて、主画面３０に表示される第１コンテンツデータと連携して、補助画面２０に第２コンテンツデータを再生表示することもできるし、ＰＯＰ端末３の本体側の動作には依存せずに、所定の設定に基づいて第２コンテンツデータを再生表示することもできる。さらに、ＰＯＰ端末３の制御に基づいて第２コンテンツデータを再生表示している場合であっても、操作入力部２６を介してオペレータから入力された指示に従って、所望の第２コンテンツデータを順次切り替えて表示することもできるし、その表示の際の強調効果（明るさ、ブリンクなど）を変更することもできる。
【００６６】
図６（Ａ）（Ｂ）（Ｃ）（Ｄ)は、ＰＯＰ端末及び補助表示装置の実施例の外観図であり、同図（Ａ）はＰＯＰ端末及び補助表示装置の背面図(取り付け前)であり、同図(Ｂ)は上面図（補助表示装置を回転移動させた場合）、同図(Ｃ)は上面図（補助表示装置をさらにスライド移動させた場合）、同図(Ｄ)は正面図である。
【００６７】
図６（Ａ）では、補助表示装置２Ａが可動式接続部材５によってＰＯＰ端末３の左端部に取り付けられる前の状態が示されている。可動式接続部材５は、補助表示装置２ＡがＺ軸周りに回転可能とする回転軸とＺ方向に垂直な方向にスライド移動可能とするスライド部を有する。補助画面２０は、ＬＥＤマトリクス表示板であり、最大で６０文字までのテキストを表示することができる。
【００６８】
図６（Ｂ）に示したように、ＰＯＰ端末３の右端部に取り付けられた補助表示装置２Ｂは、可動式接続部材５の回転軸５１によって、Ｚ軸周りに奥行き側に略９０度まで折れ曲がるように構成される。さらに、図６（Ｃ）に示したように、当該補助表示装置２Ｂは、可動式接続部材５のスライド部５２によって、手前側にスライドするように構成される。よって、図６（Ｄ）に示したように、ＰＯＰ端末３の主画面の法線（Ｚ方向）に対して、補助表示装置２Ｂの補助画面２０の法線はＹ方向となる。
【００６９】
以上説明したとおり、本発明によれば、ＰＯＰ端末の主画面に表示される第１コンテンツデータと連携して、補助画面に第２コンテンツデータを再生表示することができるので、広告の視覚効果を相乗的に高めることができる。また、補助表示装置は、可動式接続部材によって可動可能にＰＯＰ端末に接続され、補助画面の法線方向を主画面の法線方向とは異なる向きに変更することができるので、ＰＯＰ端末の正面に位置する消費者等だけでなく、側面付近に位置する消費者等や遠くから近づいてくる消費者等からの注目を集めることができる。また、補助表示装置は、簡易なＬＥＤ表示板から構成されるので、低コストで視覚効果の高い広告を提供することができる。
【符号の説明】
【００７０】
２  補助表示装置
３  ＰＯＰ端末
４  可搬式記憶媒体（ＵＳＢメモリ）
５  可動式接続部材
６  対応データ
２０  補助画面
２１  通信部
２２  記憶部
２４  情報処理部
３０  主画面
３１  通信部
３２  記憶部
２２２  第２コンテンツデータ
２２３  対応データ
３２１  第１コンテンツデータ
３２３  スケジュールデータ
３２４  プログラム
３４  情報処理部
【図１】
2012185324.tif 000003
【図２】
2012185324.tif 000004
【図３】
2012185324.tif 000005
【図４】
2012185324.tif 000006
【図５】
2012185324.tif 000007
【図６】
2012185324.tif 000008